(57)【特許請求の範囲】
【請求項１】
伝送された時系列情報から部分情報を切り出す時系列情報切り出し方法において、
時系列情報の送出側が、前記部分情報の送出開始予定時刻と送出終了予定時刻とを予め送出し、前記時系列情報にインデックスを付加して送出し、また、前記部分情報を前記インデックスで指定するインデックス指定情報を送出し、
前記時系列情報の受信側が、前記送出開始予定時刻と前記送出終了予定時刻との間の前記部分情報を含む時系列情報を切り出し、前記インデックス指定情報に基づいて、切り出した時系列情報から前記部分情報を再度切り出すことを特徴とする時系列情報切り出し方法。
【請求項２】
送出側が、前記時系列情報としてＭＰＥＧ２システムのトランスポートストリームを送出し、前記インデックスとしてプログラム・クロック・リファレンスを用いることを特徴とする請求項１に記載の時系列情報切り出し方法。
【請求項３】
送出側が、前記時系列情報としてＭＰＥＧ２システムのストリームを送出し、前記インデックスとしてプレゼンテーション・タイムスタンプを用いることを特徴とする請求項１に記載の時系列情報切り出し方法。
【請求項４】
送出側が、前記時系列情報としてＭＰＥＧ２システムのストリームを送出し、前記インデックスとしてデコード・タイムスタンプを用いることを特徴とする請求項１に記載の時系列情報切り出し方法。
【請求項５】
伝送された時系列情報から部分情報を切り出す時系列情報切り出し方法において、
時系列情報の送出側が、前記部分情報の送出開始予定時刻と送出終了予定時刻とを予め送出し、また、前記時系列情報を送出するとともに、前記部分情報が実際に送出された時刻を特定する実績時刻情報を送出し、
前記時系列情報の受信側が、前記送出開始予定時刻と前記送出終了予定時刻との間の前記部分情報を含む時系列情報を切り出し、前記実績時刻情報に基づいて、切り出した時系列情報から前記部分情報を再度切り出すことを特徴とする時系列情報切り出し方法。
【請求項６】
時系列情報を送出する送出装置と、前記時系列情報を受信して部分情報を切り出す受信装置とから成る時系列情報伝送システムにおいて、
送出装置が、
前記時系列情報を生成する時系列情報生成手段と、
前記部分情報の送出開始予定時刻と送出終了予定時刻とを生成して、前記部分情報が送出される前に送出する送出予定時刻生成手段と、
前記時系列情報にインデックスを付加して送出する時系列情報送出手段と、
前記部分情報を前記インデックスで指定するインデックス指定情報を生成して送出するインデックス指定情報生成手段と
を備え、
受信装置が、
前記送出開始予定時刻及び送出終了予定時刻に基づいて、前記送出開始予定時刻と前記送出終了予定時刻との間の前記部分情報を含む時系列情報を切り出す時刻トリミング手段と、
前記インデックス指定情報に基づいて、切り出された前記時系列情報から前記部分情報を切り出すインデックス・トリミング手段と
を備えることを特徴とする時系列情報伝送システム。
【請求項７】
前記時系列情報送出手段が、プログラム・クロック・リファレンスを前記インデックスとするＭＰＥＧ２システムのトランスポートストリームを送出し、前記インデックス指定情報生成手段が、前記部分情報を前記プログラム・クロック・リファレンスによって指定するインデックス指定情報を生成することを特徴とする請求項６に記載の時系列情報伝送システム。
【請求項８】
前記時系列情報送出手段が、プレゼンテーション・タイムスタンプを前記インデックスとするＭＰＥＧ２システムのストリームを送出し、前記インデックス指定情報生成手段が、前記部分情報を前記プレゼンテーション・タイムスタンプによって指定するインデックス指定情報を生成することを特徴とする請求項６に記載の時系列情報伝送システム。
【請求項９】
前記時系列情報送出手段が、デコード・タイムスタンプを前記インデックスとするＭＰＥＧ２システムのストリームを送出し、前記インデックス指定情報生成手段が、前記部分情報を前記デコード・タイムスタンプによって指定するインデックス指定情報を生成することを特徴とする請求項６に記載の時系列情報伝送システム。
【請求項１０】
時系列情報を送出する送出装置と、前記時系列情報を受信して部分情報を切り出す受信装置とから成る時系列情報伝送システムにおいて、
送出装置が、
前記時系列情報を生成して送出する時系列情報生成手段と、
前記部分情報の送出開始予定時刻と送出終了予定時刻とを生成して、前記部分情報が送出される前に送出する送出予定時刻生成手段と、
前記部分情報が実際に送出された時刻を特定する実績時刻情報を生成して送出する実績時刻生成手段と
を備え、
受信装置が、
前記送出開始予定時刻及び送出終了予定時刻に基づいて、前記送出開始予定時刻と前記送出終了予定時刻との間の前記部分情報を含む時系列情報を切り出す第１の時刻トリミング手段と、
前記実績時刻情報に基づいて、切り出された前記時系列情報から前記部分情報を切り出す第２の時刻トリミング手段と
を備えることを特徴とする時系列情報伝送システム。
【発明の詳細な説明】
【０００１】
【発明の属する技術分野】
本発明は、伝送される映像や音声などの時系列情報から一部分の情報を切り出す切り出し方法と、それを実施するシステムに関し、特に、正確な精度での部分情報の切り出しを実現するものである。
【０００２】
【従来の技術】
デジタル衛星放送では、マルチプログラムへの対応を可能にするため、映像、音声及びデータが、ＭＰＥＧ２システムのトランスポート・ストリーム（ＴＳ）に多重化されて放送される。
【０００３】
このＴＳでは、多重化に１８８バイトの固定長のトランスポート・パケット（ＴＳパケット）が用いられ、このＴＳパケットには、図３に示すように、ペイロード（情報）の前にパケット・データの内容識別情報が付加される。
【０００４】
ＴＳでは、個別のプログラムのパケット（ＰＥＳ（Ｐａｃｋｅｔｉｚｅｄ  Ｅｌｅｍｅｎｔａｒｙ  Ｓｔｒｅａｍ）パケット）情報（図４に図示）を再分割して複数のＴＳパケットにより伝送する。
【０００５】
受信装置では、変調されているＴＳを受信すると、復調した後、選択したプログラムのパケットを分離して復号再生する。
【０００６】
このＭＰＥＧ方式による映像・音声の伝送では、映像や音声の復号単位（映像は１フレーム、音声は１オーディオ・フレーム）の復号再生時点を復号側に伝えるため、図４に示すように、ＰＴＳ（Ｐｒｅｓｅｎｔａｓｉｏｎ  Ｔｉｍｅ  Ｓｔａｍｐ）及びＤＴＳ（Ｄｅｃｏｄｉｎｇ  Ｔｉｍｅ  Ｓｔａｍｐ）の２種類のタイムスタンプが用いられる。ＰＴＳは再生出力の時刻管理情報であり、ＤＴＳは復号の時刻管理情報である。これらのタイムスタンプは、パケットの中に復号単位の先頭がある場合にはパケットに付加され、パケットの中に復号単位の先頭が無い場合には付加されない。
【０００７】
また、ＴＳパケットには、図３に示すように、これらのタイムスタンプに対して時間基準を与えるＰＣＲ（Ｐｒｏｇｒａｍ  Ｃｌｏｃｋ  Ｒｅｆｅｒｅｎｃｅ）が付加される。
【０００８】
こうしたデジタル放送では、多チャネル化が可能となり、視聴者の選択肢は増加するが、番組選択操作は煩雑になる。そのため、デジタル多チャネル放送では、番組名や放送スケジュール、出演者名などの情報を含むＥＰＧ（電子番組ガイド）をデータ放送して番組選択の便を図っている。視聴者は、テレビ画面にそれを表示して、番組表上で直接、選局や視聴予約などを操作したり、選択した番組の次回番組予告を見たりすることが可能となる。
【０００９】
本発明者を含むグループでは、視聴者が、放送時刻に縛られずに自分のペースで観たい番組を観ることができる次世代のデジタル放送システムの開発を進めている。
【００１０】
この放送システムでは、受信装置が、放送される情報の中から、視聴者の操作を待つことなく、視聴者の嗜好に適合する番組を選択して自動的に蓄積する。例えば、ＥＰＧ情報から視聴者がよく見る番組の次回番組予告を蓄積したり、視聴者が車好きであるときには、車のＣＭを蓄積する。視聴者は、こうして蓄積された情報を都合のよい時間に受信装置の画面に表示して楽しむことができる。
【００１１】
この放送システムでは、放送される映像・音声情報の中から所定の部分情報を切り出すことが必要になる。また、伝送される映像・音声情報の中から部分情報を抽出することは、こうしたシステムだけで無く、多くの伝送システムにおいて求められる。
【００１２】
映像・音声などの時系列情報から部分情報を抽出するシステムは、これまで、図６に示すように構成されている。時系列情報が映像である場合に、映像を送出する側の送出部１は、映像を生成する映像生成手段１２と、切り出すべき部分映像の送出予定時刻を出力する送出予定時刻生成手段１１とを具備し、また、映像を受信する側の受信部３は、時刻を計時する計時手段３３と、伝送手段２を通じて伝送された映像から所定時刻の部分映像を切り出す時刻トリミング手段３１と、切り出された部分映像を表示する表示手段３２とを具備している。
【００１３】
このシステムでは、送出部１の映像生成手段１２が、映像を出力し、また、送出予定時刻生成手段１１が、切り出しの対象となる部分映像の送出開始予定時刻及び送出終了予定時刻を予め受信部３に通知する。
【００１４】
受信部３の時刻トリミング手段３１は、計時手段３３が出力する時刻情報に基づいて、受信した映像の中から、送出開始予定時刻から送出終了予定時刻までの映像を切り出す。切り出された部分映像は、表示手段３２に出力されて表示される。
【００１５】
このように、送出側で、映像を送出する前にビデオクリップの場所を時刻指定することにより、受信側での部分映像の抽出が可能となる。
【００１６】
【発明が解決しようとする課題】
しかし、時系列情報が実際に送出部から送出される時刻は、送出部内でのバッファリングの作用などが影響するため、実際にそれが送出されるまでは、正確な時刻を確定することができない。また、衛星を利用する放送などでは、伝送手段による伝送遅延が可成り大きく、放送波が衛星を往復するだけで０．２秒程度の時間が経過する。そのため、時系列情報の切り出すべき時間帯を事前に時刻指定する方法では、受信側で部分情報を正確に切り出すことができないという問題点を有している。
【００１７】
本発明は、こうした従来の問題点を解決するものであり、時系列情報から部分情報を正確に切り出すことができる時系列情報切り出し方法を提供し、その方法を実施するシステムを提供することを目的としている。
【００１８】
【課題を解決するための手段】
そこで、本発明では、時系列情報の送出側が、部分情報の送出予定時刻を予め送出するとともに、実際に送出された時系列情報の特定が可能な指標（インデックスや実績時刻）によって部分情報を指定する指定情報を送出し、時系列情報の受信側が、送出予定時刻に基づいて、部分情報を含む時系列情報を暫定的に切り出し、指定情報に基づいて、暫定的に切り出した時系列情報から部分情報を再度切り出すようにしている。
【００１９】
そのため、送出済みになるまで送出時刻を正確に確定できない部分情報を、受信側では、多くのメモリ容量を必要とすること無く、正確に切り出すことができる。
【００２０】
【発明の実施の形態】
本発明の請求項１に記載の発明は、伝送された時系列情報から部分情報を切り出す時系列情報切り出し方法において、時系列情報の送出側が、部分情報の送出開始予定時刻と送出終了予定時刻とを予め送出し、時系列情報にインデックスを付加して送出し、また、部分情報をこのインデックスで指定するインデックス指定情報を送出し、時系列情報の受信側が、送出開始予定時刻と送出終了予定時刻との間の部分情報を含む時系列情報を切り出し、インデックス指定情報に基づいて、切り出した時系列情報から部分情報を再度切り出すようにしたものであり、時系列情報から部分情報を正確に切り出すことができる。
【００２１】
請求項２に記載の発明は、送出側が、時系列情報としてＭＰＥＧ２システムのトランスポートストリームを送出し、インデックスとしてプログラム・クロック・リファレンスを用いるようにしたものであり、誤差が１００ｍｓ以下（３フレーム前後）の精度で部分情報を切り出すことができる。
【００２２】
請求項３に記載の発明は、送出側が、時系列情報としてＭＰＥＧ２システムのストリームを送出し、インデックスとしてプレゼンテーション・タイムスタンプを用いるようにしたものであり、１フレームの精度で部分情報を切り出すことができる。
【００２３】
請求項４に記載の発明は、送出側が、時系列情報としてＭＰＥＧ２システムのストリームを送出し、インデックスとしてデコード・タイムスタンプを用いるようにしたものであり、１フレームの精度で部分情報を切り出すことができる。
【００２４】
請求項５に記載の発明は、伝送された時系列情報から部分情報を切り出す時系列情報切り出し方法において、時系列情報の送出側が、部分情報の送出開始予定時刻と送出終了予定時刻とを予め送出し、また、時系列情報を送出するとともに、部分情報が実際に送出された時刻を特定する実績時刻情報を送出し、時系列情報の受信側が、送出開始予定時刻と送出終了予定時刻との間の部分情報を含む時系列情報を切り出し、実績時刻情報に基づいて、切り出した時系列情報から部分情報を再度切り出すようにしたものであり、簡便な構成で時系列情報から部分情報を正確に切り出すことができる。
【００２５】
請求項６に記載の発明は、時系列情報を送出する送出装置と、時系列情報を受信して部分情報を切り出す受信装置とから成る時系列情報伝送システムにおいて、送出装置に、時系列情報を生成する時系列情報生成手段と、部分情報の送出開始予定時刻と送出終了予定時刻とを生成して、部分情報が送出される前に送出する送出予定時刻生成手段と、時系列情報にインデックスを付加して送出する時系列情報送出手段と、部分情報をインデックスで指定するインデックス指定情報を生成して送出するインデックス指定情報生成手段とを設け、受信装置に、送出開始予定時刻及び送出終了予定時刻に基づいて、送出開始予定時刻と送出終了予定時刻との間の部分情報を含む時系列情報を切り出す時刻トリミング手段と、インデックス指定情報に基づいて、切り出された時系列情報から部分情報を切り出すインデックス・トリミング手段とを設けたものであり、請求項１の時系列情報切り出し方法を実施することができる。
【００２６】
請求項７に記載の発明は、時系列情報送出手段が、プログラム・クロック・リファレンスをインデックスとするＭＰＥＧ２システムのトランスポートストリームを送出し、インデックス指定情報生成手段が、部分情報をプログラム・クロック・リファレンスによって指定するインデックス指定情報を生成するようにしたものであり、請求項２の時系列情報切り出し方法を実施することができる。
【００２７】
請求項８に記載の発明は、時系列情報送出手段が、プレゼンテーション・タイムスタンプをインデックスとするＭＰＥＧ２システムのストリームを送出し、インデックス指定情報生成手段が、部分情報をプレゼンテーション・タイムスタンプによって指定するインデックス指定情報を生成するようにしたものであり、請求項３の時系列情報切り出し方法を実施することができる。
【００２８】
請求項９に記載の発明は、時系列情報送出手段が、デコード・タイムスタンプをインデックスとするＭＰＥＧ２システムのストリームを送出し、インデックス指定情報生成手段が、部分情報をデコード・タイムスタンプによって指定するインデックス指定情報を生成するようにしたものであり、請求項４の時系列情報切り出し方法を実施することができる。
【００２９】
請求項１０に記載の発明は、時系列情報を送出する送出装置と、時系列情報を受信して部分情報を切り出す受信装置とから成る時系列情報伝送システムにおいて、送出装置に、時系列情報を生成して送出する時系列情報生成手段と、部分情報の送出開始予定時刻と送出終了予定時刻とを生成して、部分情報が送出される前に送出する送出予定時刻生成手段と、部分情報が実際に送出された時刻を特定する実績時刻情報を生成して送出する実績時刻生成手段とを設け、受信装置に、送出開始予定時刻及び送出終了予定時刻に基づいて、送出開始予定時刻と送出終了予定時刻との間の部分情報を含む時系列情報を切り出す第１の時刻トリミング手段と、実績時刻情報に基づいて、切り出された時系列情報から部分情報を切り出す第２の時刻トリミング手段とを設けたものであり、請求項５の時系列情報切り出し方法を実施することができる。
【００３０】
以下、本発明の実施の形態について、図面を用いて説明する。
【００３１】
（第１の実施形態）
第１の実施形態の時系列情報伝送システムは、図１に示すように、送出部１が、映像を生成する映像生成手段１２と、切り出すべき部分映像の送出予定時刻を出力する送出予定時刻生成手段１１と、映像に付加されるインデックスを生成するインデックス生成手段１４と、映像生成手段１２が生成した映像にこのインデックスを付加するインデックス付加手段１３と、切り出すべき部分情報についてインデックスで指定したインデックス指定情報を生成して送出するインデックス指定情報生成手段１５とを備え、また、受信部３が、時刻を計時する計時手段３３と、伝送手段２を通じて伝送された映像から時刻指定された部分映像を大まかに切り出す時刻トリミング手段３１と、時刻トリミング手段３１によって切り出された部分映像の中からインデックス指定情報に基づいて部分映像を正確に切り出すインデックストリミング手段３４と、インデックストリミング手段３４により切り出された部分映像を表示する表示手段３２とを備えている。
【００３２】
このシステムの動作を図２に示すフローチャートを用いて説明する。
【００３３】
ステップ１：送出部１の映像生成手段１２は、映像を生成してインデックス付加手段１３に出力し、同時に、映像の実際の出力実績を表す実績情報をインデックス指定情報生成手段１５に出力する。また、送出予定時刻生成手段１１は、切り出しの対象となる部分映像の送出開始予定時刻及び送出終了予定時刻を生成し、事前に受信部３に送出する。
【００３４】
ステップ２：送出部１のインデックス生成手段１４は、映像に付加されるインデックスを生成して、インデックス付加手段１３とインデックス指定情報生成手段１５とに出力し、インデックス付加手段１３は、映像生成手段１２から出力された映像にこのインデックスを付加し、
ステップ３：このインデックスが付加された映像情報を、伝送手段２を通じて受信部３に送出する。
【００３５】
ステップ４：受信部３の時刻トリミング手段３１は、計時手段３３が出力する時刻情報に基づいて、受信した映像情報の中から、送出部１より事前に受信した送出開始予定時刻と送出終了予定時刻との間の映像を、余裕を持って大き目に切り出す。
【００３６】
ステップ５：送出部１のインデックス指定情報生成手段１５は、映像生成手段１２から入力した実績情報とインデックス生成手段１４から入力したインデックスとを基に、切り出すべき部分映像の先頭及び末尾に付加されたインデックスを求め、このインデックスで部分映像を特定するインデックス指定情報を生成して受信部３に送出する。
【００３７】
ステップ６：受信部３のインデックストリミング手段３４は、時刻トリミング手段３１によって切り出された部分映像（暫定部分映像）の中からインデックス指定情報によって特定された部分映像を切り出す。表示手段３２は、切り出された部分映像を表示する。
【００３８】
このように、この実施形態のシステムでは、時系列情報を伝送する送出側が、部分情報の送出予定時刻を事前に受信側に伝えるとともに、実際の時系列情報に付したインデックスによって部分情報を指定するインデックス指定情報を受信側に伝送する。一方、受信側は、受信した時系列情報を、送出予定時刻に基づいて暫定的に切り出し、次いで、この暫定的に切り出した時系列情報の中から、正確な部分情報をインデックス指定情報に基づいて切り出している。
【００３９】
そのため、受信側では、時系列情報を蓄積するための大きなメモリを持たなくとも、部分情報を正確に抽出することができる。
【００４０】
この時系列情報として、送出側と受信側との間でＭＰＥＧ２システムのＴＳを伝送するシステムでは、ＴＳパケットに付すＰＣＲをインデックスとして用いることができる。
【００４１】
この場合、送出側は、部分情報の送出に先立って、その部分情報の送出予定時刻を時刻指定し、また、実際に時系列情報を送出した後、送出時のＴＳパケットに付したＰＣＲを解析して、部分情報をＰＣＲにより再指定する。
【００４２】
一方、受信側は、受信したＴＳパケットの中で、時刻指定された範囲よりも多めのＴＳパケットを記憶手段に保存し、ＰＣＲでの再指定を受信した時点で、不要なＴＳパケットを記憶手段から削除する。なお、このＰＣＲは、ペイロードがスクランブルされていても参照することが可能である。
【００４３】
こうして、ＰＣＲをインデックスとすることにより、誤差範囲が１００ｍｓ以下（３フレーム前後）の精度で部分映像を切り出すことができる。
【００４４】
また、この場合、ＰＴＳまたはＤＴＳをインデックスとして併用することにより、部分情報の切り出し精度をさらに上げることができる。
【００４５】
このとき、送出側は、ＴＳパケットをＰＣＲで再指定した後、送出時のＰＴＳまたはＤＴＳの実績を解析して、部分情報をＰＴＳまたはＤＴＳにより再々指定する。
【００４６】
受信側は、ＰＣＲに基づいて選択したＴＳパケットから、さらに該当するＰＴＳまたはＤＴＳを有する情報だけを選択する。
【００４７】
こうして、ＰＴＳまたはＤＴＳをインデックスとすることにより、１フレームの精度で部分映像を切り出すことができる。但し、ＰＴＳ及びＤＴＳは、ペイロードがスクランブルされている場合、デスクランブル後に始めて参照することが可能となる。
【００４８】
また、ＰＥＳパケットをパックしたＭＰＥＧ２−ＰＳ（Ｐｒｏｇｒａｍ  Ｓｔｒｅａｍ）を時系列情報として伝送するＭＰＥＧ２ビデオのシステムでも、同様に、ＰＥＳパケットに付されたＰＴＳまたはＤＴＳをインデックスとして用いることにより、フレーム単位の精度で部分映像を切り出すことができる。
【００４９】
（第２の実施形態）
第２の実施形態では、簡単な構成で部分情報の正確な切り出しが可能なシステムについて説明する。
【００５０】
このシステムは、図５に示すように、送出部１が、映像を生成する映像生成手段１２と、切り出すべき部分映像の送出予定時刻を出力する送出予定時刻生成手段１１と、時刻を計時する計時手段１６と、映像の実際の送出時刻を表示する実績時刻の情報を生成して送出する実績時刻生成手段１７とを備え、また、受信部３が、時刻を計時する計時手段３３と、伝送手段２を通じて伝送された映像から送出予定時刻に基づいて部分映像を大まかに切り出す第１時刻トリミング手段３５と、第１時刻トリミング手段３５によって切り出された暫定部分映像の中から実績時刻情報に基づいて部分映像を正確に切り出す第２時刻トリミング手段３６と、第２時刻トリミング手段３２によって切り出された部分映像を表示する表示手段３２とを備えている。
【００５１】
このシステムの送出部１では、送出予定時刻生成手段１１が、切り出しの対象となる部分映像の送出開始予定時刻及び送出終了予定時刻を生成して、事前に受信部３に送出する。また、映像生成手段１２は、生成した映像を送出するとともに、映像の実際の出力実績を表す実績情報を実績時刻生成手段１７に出力する。
【００５２】
実績時刻生成手段１７は、映像生成手段１２から入力した実績情報と計時手段１６から入力する時刻情報とを基に、切り出すべき部分映像の先頭及び末尾が実際に送出された時刻を求め、それを実績情報として受信部３に送出する。
【００５３】
受信部３では、第１時刻トリミング手段３５が、計時手段３３より出力される時刻情報に基づいて、受信した映像情報の中から、送出部１より事前に受信した送出開始予定時刻と送出終了予定時刻との間の映像を、余裕を持って大き目に切り出す。
【００５４】
第２時刻トリミング手段３６は、第１時刻トリミング手段３５によって切り出された部分映像（暫定部分映像）の中から、実績時刻情報に基づいて、部分映像を正確に切り出す。表示手段３２は、切り出された部分映像を表示する。
【００５５】
このように、この実施形態のシステムでは、時系列情報を伝送する送出側が、部分情報の送出予定時刻を事前に受信側に伝えるとともに、部分情報の実際の送出時刻を求め、これを受信側に伝送する。一方、受信側は、受信した時系列情報を、送出予定時刻に基づいて暫定的に切り出し、次いで、この暫定的に切り出した時系列情報の中から、実際の部分情報の送出時刻に相当する部分を切り出している。
【００５６】
そのため、伝送手段２による遅延を無視できるような環境の下では、受信側において、簡単な構成によって、時系列情報から部分情報を正確に抽出することができる。
【００５７】
なお、各実施形態では、切り出された部分情報を直接表示手段で表示しているが、この部分情報を一旦蓄積手段に蓄積するようにしてもよい。
【００５８】
【発明の効果】
以上の説明から明らかなように、本発明の時系列情報切り出し方法は、受信側において、多くのメモリ容量を必要とすること無く、時系列情報から部分情報を正確に切り出すことを可能にする。
【００５９】
また、本発明の時系列情報伝送システムは、この時系列情報切り出し方法を実現することができ、また、従来の送出装置が備えている多重化装置などに手を加えること無く、構成することができる。
【図面の簡単な説明】
【図１】第１の実施形態の時系列情報伝送システムの構成を示すブロック図、
【図２】第１の実施形態の時系列情報切り出し方法の手順を示すフローチャート、
【図３】ＭＰＥＧ２トランスポート・パケットのデータ構造、
【図４】ＰＥＳパケットのデータ構造、
【図５】第２の実施形態の時系列情報伝送システムの構成を示すブロック図、
【図６】従来の時系列情報伝送システムの構成を示すブロック図である。
【符号の説明】
１  送出部
２  伝送手段
３  受信部
１１  送出予定時刻生成手段
１２  映像生成手段
１３  インデックス付加手段
１４  インデックス生成手段
１５  インデックス指定情報生成手段
１６、３３  計時手段
１７  実績時刻生成手段
３１  時刻トリミング手段
３２  表示手段
３４  インデックストリミング手段
３５  第１時刻トリミング手段
３６  第２時刻トリミング手段
【図１】
0003594479.tif 000002
【図２】
0003594479.tif 000003
【図３】
0003594479.tif 000004
【図４】
0003594479.tif 000005
【図５】
0003594479.tif 000006
【図６】
0003594479.tif 000007